【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
（ａ）化学式Ｉのアミン捕捉モノマー、
【化１】
2009510219.tif 000001
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メチル）アリーロイル基を含む架橋モノマー、
を含む反応混合物。
【請求項２】
（ａ）化学式Ｉのアミン捕捉モノマー、
【化２】
2009510219.tif 000002
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む反応混合物の反応生成物を含む、架橋型高分子物質。
【請求項３】
基材；及び
前記基材表面上に配置した架橋型高分子物質を含む物品であって、前記架橋型高分子物質が、Ｎ−スルホニルジカルボキシイミド基を含むペンダントアミン捕捉基を有し、且つ前記架橋型高分子物質が、
（ａ）化学式Ｉのアミン捕捉モノマー、
【化３】
2009510219.tif 000003
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む反応混合物の反応生成物である、前記物品。
【請求項４】
基材を提供すること；
（ａ）化学式Ｉのアミン捕捉モノマー、
【化４】
2009510219.tif 000004
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む、前記基材表面上の反応混合物を配設すること；
前記反応混合物を硬化させて、Ｎ−スルホニルジカルボキシイミド基を含むペンダントアミン捕捉基を有する架橋型高分子物質を形成すること；並びに
アミン含有物質を前記Ｎ−スルホニルジカルボキシイミド基と反応させること；
を含む、アミン含有物質の基材への不動化方法。
【請求項５】
基材を提供すること；
（ａ）化学式Ｉのアミン捕捉モノマー、
【化５】
2009510219.tif 000005
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；且つ
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む、前記基材表面上の反応混合物を配設すること；並びに
前記反応混合物を硬化させて、Ｎ−スルホニルジカルボキシイミド基を含むペンダントアミン捕捉基を有する架橋型高分子物質を形成すること；
を含む、物品の作製方法。
【請求項６】
化学式ＩＩのペンダント基を含む、高分子物質。
【化６】
2009510219.tif 000006
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
アスタリスク（＊）は、前記ペンダント基の、前記高分子物質の主鎖への結合部位を意味し；
化学式ＩＩのペンダント基は、ハロ、アルキル、アルコキシ、又はそれらの組み合わせによって非置換又は置換であり；且つ
前記高分子物質は、架橋している。）
【請求項７】
化学式ＩＩＩのペンダント基を含む、高分子物質。
【化７】
2009510219.tif 000007
［Ｌが、オキシ又は−ＮＲ４−であり；
Ｒ４は、水素、アルキル、アリール、アラルキル、アシル、アリールスルホニル、又はアルキルスルホニルであり；
Ｒ７は、１〜５個の炭素原子を有するアルキレン、芳香族基、飽和若しくは不飽和環状基、飽和若しくは不飽和二環状基、又はそれらの組み合わせであり；
Ｔは、一級アミン含有生体物質（−ＮＨ２基を含まない）に相当し；
Ｙは、アルキレン、ヘテロアルキレン、アリーレン、又はそれらの組み合わせを含む二価の基であり；
アスタリスク（＊）は、前記ペンダント基の、前記高分子物質の主鎖への結合部位を意味し；
化学式ＩＩＩのペンダント基は、ハロ、アルキル、アルコキシ、又はそれらの組み合わせによって非置換又は置換であり；且つ
前記高分子物質は、架橋している。］
【手続補正２】
【補正対象書類名】明細書
【補正対象項目名】０２０４
【補正方法】変更
【補正の内容】
【０２０４】
本発明の範囲及び趣旨を逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されることを意図する、本発明の範囲に関する例示のためにのみ提示されることを理解すべきである。
以下に、本願発明に関連する発明の実施の形態を列挙する。
実施形態１
（ａ）化学式Ｉのアミン捕捉モノマー、
【化８】
2009510219.tif 000008
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メチル）アリーロイル基を含む架橋モノマー、
を含む反応混合物。
実施形態２
前記アミン捕捉モノマーが化学式Ｉ（ａ）である、実施形態１に記載の反応混合物。
【化９】
2009510219.tif 000009
実施形態３
前記アミン捕捉モノマーが化学式Ｉ（ｂ）である、実施形態１に記載の反応混合物。
【化１０】
2009510219.tif 000010
実施形態４
前記アミン捕捉モノマーが化学式Ｉ（ｃ）である、実施形態１に記載の反応混合物。
【化１１】
2009510219.tif 000011
（式中、
Ａｒ１は、アリーレン基であり；且つ
Ｙ１は、アルキレン、ヘテロアルキレン、カルボニル、カルボニルオキシ、カルボニルイミノ、オキシ、チオ、−ＮＲ４−、又はそれらの組み合わせから選択される、単結合又は二価の基である。）
実施形態５
前記アミン捕捉モノマーが、
【化１２】
2009510219.tif 000012
又は
【化１３】
2009510219.tif 000013
から選択される、実施形態１に記載の反応混合物。
実施形態６
前記アミン捕捉モノマーが、
【化１４】
2009510219.tif 000014
又は
【化１５】
2009510219.tif 000015
から選択される、実施形態１に記載の反応混合物。
（式中、
Ｒは、アルキルであり；
Ａｒ１は、アリーレンであり；且つ
Ｙ１は、単結合、アルキレン、ヘテロアルキレン、カルボニル、カルボニルオキシ、カルボニルイミノ、オキシ、チオ、−ＮＲ４−、又はそれらの組み合わせから選択される。）
実施形態７
前記アミン捕捉モノマーが、
【化１６】
2009510219.tif 000016
又は
【化１７】
2009510219.tif 000017
から選択される、実施形態１に記載の反応混合物。
実施形態８
光反応開始剤、熱反応開始剤、又はそれらの組み合わせを更に含む、実施形態１に記載の反応混合物。
実施形態９
Ｙが、カルボニル、カルボニルオキシ、カルボニルイミノ、オキシ、チオ、−ＮＲ４−、又はそれらの組み合わせから選択される基を更に含む、実施形態１に記載の反応混合物。
実施形態１０
（ａ）化学式Ｉのアミン捕捉モノマー、
【化１８】
2009510219.tif 000018
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む反応混合物の反応生成物を含む、架橋型高分子物質。
実施形態１１
基材；及び
前記基材表面上に配置した架橋型高分子物質を含む物品であって、前記架橋型高分子物質が、Ｎ−スルホニルジカルボキシイミド基を含むペンダントアミン捕捉基を有し、且つ前記架橋型高分子物質が、
（ａ）化学式Ｉのアミン捕捉モノマー、
【化１９】
2009510219.tif 000019
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む反応混合物の反応生成物である、前記物品。
実施形態１２
基材を提供すること；
（ａ）化学式Ｉのアミン捕捉モノマー、
【化２０】
2009510219.tif 000020
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む、前記基材表面上の反応混合物を配設すること；
前記反応混合物を硬化させて、Ｎ−スルホニルジカルボキシイミド基を含むペンダントアミン捕捉基を有する架橋型高分子物質を形成すること；並びに
アミン含有物質を前記Ｎ−スルホニルジカルボキシイミド基と反応させること；
を含む、アミン含有物質の基材への不動化方法。
実施形態１３
前記アミン含有物質が、アミン含有検体、アミノ酸含有検体、アミノ基、ペプチド、ＤＮＡ、ＲＮＡ、タンパク質、酵素、細胞器官、細胞、組織、免疫グロブリン、又はこれらの断片である、実施形態１２に記載の方法。
実施形態１４
前記アミン含有物質が抗体であり、且つ前記抗体が更に抗原に結合する、実施形態１２に記載の方法。
実施形態１５
前記アミン含有物質が抗原であり、且つ前記抗原が更に抗体に結合する、実施形態１２に記載の方法。
実施形態１６
前記アミン含有物質が免疫グロブリンであり、且つ前記免疫グロブリン（immunoglobin）が更にバクテリアに結合する、実施形態１２に記載の方法。
実施形態１７
基材を提供すること；
（ａ）化学式Ｉのアミン捕捉モノマー、
【化２１】
2009510219.tif 000021
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ３は、水素又はメチルであり；
Ｒ４は、水素、アルキル、アリール、アラルキル、アシル、アリールスルホニル、又はアルキルスルホニルであり；且つ
Ｙは、アルキレン、ヘテロアルキレン、アリーレン、又はそれらの組み合わせを含む二価の基であり；
化学式Ｉのモノマーは、ハロ、アルキル、アルコキシ、又はそれらの組み合わせによって非置換又は置換である。）及び
（ｂ）少なくとも２つの（メタ）アクリロイル基を含む架橋モノマー、
を含む、前記基材表面上の反応混合物を配設すること；並びに
前記反応混合物を硬化させて、Ｎ−スルホニルジカルボキシイミド基を含むペンダントアミン捕捉基を有する架橋型高分子物質を形成すること；
を含む、物品の作製方法。
実施形態１８
前記Ｎ−スルホニルジカルボキシイミド基を、一級アミン基、二級アミン基、又はそれらの組み合わせを有する窒素含有物質と反応させることを更に含む、実施形態１７に記載の方法。
実施形態１９
化学式ＩＩのペンダント基を含む、高分子物質。
【化２２】
2009510219.tif 000022
（式中、
Ｌは、オキシ又は−ＮＲ４−であり；
Ｒ１及びＲ２は、それらが結合したジカルボキシイミド基と共に、任意の芳香族基、任意の飽和若しくは不飽和環状基、又は任意の飽和若しくは不飽和二環状基と縮合することができる、４〜８員複素環基又は二環式複素環基を形成し；
Ｒ４は、水素、アルキル、アリール、アラルキル、アシル、アリールスルホニル、又はアルキルスルホニルであり；
Ｙは、アルキレン、ヘテロアルキレン、アリーレン、又はそれらの組み合わせを含む二価の基であり；
アスタリスク（＊）は、前記ペンダント基の、前記高分子物質の主鎖への結合部位を意味し；
化学式ＩＩのペンダント基は、ハロ、アルキル、アルコキシ、又はそれらの組み合わせによって非置換又は置換であり；且つ
前記高分子物質は、架橋している。）
実施形態２０
化学式ＩＩＩのペンダント基を含む、高分子物質。
【化２３】
2009510219.tif 000023
［Ｌが、オキシ又は−ＮＲ４−であり；
Ｒ４は、水素、アルキル、アリール、アラルキル、アシル、アリールスルホニル、又はアルキルスルホニルであり；
Ｒ７は、１〜５個の炭素原子を有するアルキレン、芳香族基、飽和若しくは不飽和環状基、飽和若しくは不飽和二環状基、又はそれらの組み合わせであり；
Ｔは、一級アミン含有生体物質（−ＮＨ２基を含まない）に相当し；
Ｙは、アルキレン、ヘテロアルキレン、アリーレン、又はそれらの組み合わせを含む二価の基であり；
アスタリスク（＊）は、前記ペンダント基の、前記高分子物質の主鎖への結合部位を意味し；
化学式ＩＩＩのペンダント基は、ハロ、アルキル、アルコキシ、又はそれらの組み合わせによって非置換又は置換であり；且つ
前記高分子物質は、架橋している。］